(57)【要約】【課題】  ミラー扉を開閉する際にミラー扉の左右端縁部と収納部の左右側板や仕切板の前面側端縁部との間に手指を挟んでしまった場合に、手指にかかる衝撃を緩和することができるミラーキャビネットを提供する。【解決手段】  内部の収納空間を左右に分割する仕切板２を有し前面側が開口した収納部３と、収納部３の前面側に設けられ左右に移動可能なミラー扉４とを備えたミラーキャビネット１において、収納部３の左右側板５と仕切板２の前面側端縁部に上下方向にわたって弾性部材６が設けられてなる。【選択図】図１
2005204934.tif 000002
【特許請求の範囲】
【請求項１】
内部の収納空間を左右に分割する仕切板を有し前面側が開口した収納部と、
収納部の前面側に設けられ左右に移動可能なミラー扉とを備えたミラーキャビネットにおいて、
収納部の左右側板と仕切板の前面側端縁部に上下方向にわたって弾性部材が設けられてなることを特徴とするミラーキャビネット。
【請求項２】
前記弾性部材が軟質材料からなることを特徴とする請求項１記載のミラーキャビネット。
【請求項３】
前記弾性部材が前記前面側端縁部の左右両側から前面側に突出するとともに内方向に向けて互いに対向するように形成された舌片形状を有してなることを特徴とする請求項２記載のミラーキャビネット。
【発明の詳細な説明】
【技術分野】
【０００１】
本発明は、ミラーキャビネットに関するものである。
【背景技術】
【０００２】
従来、キャビネット本体と、このキャビネット本体に上部空間をスライド棚スペースとするようにしてその下方で前後動自在に設けられた引き出しと、前記スライド棚スペースに位置するようにしてキャビネット本体に前後動自在に設けられたスライド棚とを有し、引き出しの前壁の上部がスライド棚の前覆いとなるようになされているキャビネットにおいて、引き出しを後方に押し込む際、引き出しの前壁の後面とスライド棚の前端部が直接接触して異音が発生するのを防止するために、引き出しの前壁の後面又はスライド棚の前端部に緩衝材を設けているものがある。（特許文献１）
【特許文献１】特開２００２−０１７４８３公報
【発明の開示】
【発明が解決しようとする課題】
【０００３】
ところで、上記特許文献１記載のキャビネットでは、収納部の扉として前後に移動して開閉する引き出し方式の扉を用いているが、この扉が前面にミラーを備え、左右に移動して開閉する引戸方式のミラー扉である場合、ミラー扉を開閉する際にミラー扉の左右端縁部と収納部の左右側板や仕切板の前面側端縁部との間に手指を挟んでしまう恐れがあった。
【０００４】
本発明は、かかる事由に鑑みてなしたもので、その目的とするところは、ミラー扉を開閉する際にミラー扉の左右端縁部と収納部の左右側板や仕切板の前面側端縁部との間に手指を挟んでしまった場合に、手指にかかる衝撃を緩和することができるミラーキャビネットを提供することにある。
【課題を解決するための手段】
【０００５】
上記課題を解決するために、本発明では、第１には、内部の収納空間を左右に分割する仕切板を有し前面側が開口した収納部と、収納部の前面側に設けられ左右に移動可能なミラー扉とを備えたミラーキャビネットにおいて、収納部の左右側板と仕切板の前面側端縁部に上下方向にわたって弾性部材が設けられてなる。
【０００６】
第２には、前記弾性部材が軟質材料からなる。
【０００７】
第３には、前記弾性部材が前記前面側端縁部の左右両側から前面側に突出するとともに内方向に向けて互いに対向するように形成された舌片形状を有してなる。
【発明の効果】
【０００８】
上記本発明の第１のミラーキャビネットでは、誤ってミラー扉の左右端縁部と収納部の左右側板や仕切板の前面側端縁部との間に手指を挟んでしまった場合に、弾性部材によって手指にかかる衝撃を緩和することができる。さらに、弾性部材によって、ミラー扉が前後にがたつくのを防止してスムーズにミラー扉を左右に移動させることができる。
【０００９】
上記本発明の第２のミラーキャビネットでは、上記第１のミラーキャビネットと同様の効果が得られ、また、弾性部材が軟質材料からなるため、ミラー扉の裏面と収納部の左右側板や仕切板の前面側端縁部が直接接触して不快な異音を発生するのを防止することができる。
【００１０】
上記本発明の第３のミラーキャビネットでは、上記第１及び第２のミラーキャビネットと同様の効果が得られ、また、弾性部材が収納部の左右側板や仕切板の前面側端縁部の左右両側から前面側に突出するとともに内方向に向けて互いに対向するように形成された舌片形状を有してなるため、さらに柔軟性を有し、手指への衝撃をさらに緩和させることができる。
【発明を実施するための最良の形態】
【００１１】
本発明の実施形態におけるミラーキャビネット１は、図１、２に示すように、内部の収納空間を左右に分割する仕切板２を有し前面側が開口した収納部３と、収納部３の前面側に設けられ左右に移動可能なミラー扉４とを備えており、収納部３の左右側板５と仕切板２の前面側端縁部に上下方向にわたって弾性部材６が設けられている。
【００１２】
収納部３は天板７、底板８、背板９及び左右の側板５によって外郭が形成され、棚板１０によって収納空間が上下に分割されている。
【００１３】
天板７には長手方向にレール１１が形成されており、ミラー扉４の上部に備えられたローラー１２がレール１１に沿って左右に移動する。また、底板８には長手方向にガイド溝１３が形成されており、ミラー扉４の下部に備えられた係合部１４が係合されて左右に移動する。また、ミラー扉４の前面には把手１５が備えられている。
【００１４】
弾性部材６は収納部３の左右側板５と仕切板２の前面側端縁部のミラー扉４に対向する面に上下方向にわたって設けられている。弾性部材６はゴム等の軟質材料からなり、図３、４に示すように側板５及び仕切板２の前面側端縁部の左右両側から前面側に突出するとともに内方向に向けて互いに対向するように形成された舌片形状を有している。
【００１５】
ミラー扉４は普段は収納部３の中央に位置させて使用されるが、ミラー扉４の裏側の収納空間に物品を出し入れしたり、使用者が違う位置に立ってミラー扉４を使用したりする場合にはミラー扉４を左右に移動させる。
【００１６】
ミラー扉４は１枚ものであり、収納部３の全ての開口部を一度に塞ぐようにはなっておらず、側板５や仕切板２の前面側端縁部が露出しているため、使用者がミラー扉４を左右に移動させる際、誤ってミラー扉４の裏面と側板５や仕切板２の前面側端縁部におけるミラー扉４の裏面と対向する面との間に手指を挟んでしまう場合がある。このような場合においても、弾性部材６によって手指にかかる衝撃を緩和することができる。
【００１７】
また、弾性部材６によって、ミラー扉４を左右に移動させる際にミラー扉４の裏面と側板５や仕切板２の前面側端縁部が直接接触して不快な異音を発生するのを防止することができる。さらに、弾性部材６によって、ミラー扉４が前後にがたつくのを防止することができる。
【００１８】
ここで、弾性部材６は、側板５及び仕切板２の前面側端縁部の左右両側から前面側に突出するとともに内方向に向けて互いに対向するように形成された舌片形状を有しているので、ミラー扉４を左右に移動させる際、左右の舌片部が各々ミラー扉４の進行方向に合わせて変形するため、ミラー扉４の裏面と弾性部材６との摩擦を小さくすることができ、スムーズにミラー扉４を左右に移動させることができる。
【００１９】
また、弾性部材６のその他の形状としては、図５（ａ）に示すように、ゴム等の軟質材料からなる弾性部材６の断面形状が略半円形状のものや、図５（ｂ）に示すように、弾性部材６の内部に空隙６ａを有するものを用いてもよい。さらに図５（ｃ）に示すように、弾性部材６が、側板５や仕切板２の前面側端縁部を覆うキャップ部材６ｂと、このキャップ部材６ｂ内面と側板５や仕切板２の前面側端縁部との間に設けられ少なくとも伸縮側に弾性を有するバネ部材６ｃとからなるものを用いてもよい。この場合は、キャップ部材６ｂが軟質材料である必要はなく、例えばプラスチック等の材料を使用してもよい。また、キャップ部材６ｂの表面柄を収納部３の他の部位の表面柄と合わせることによって、キャップ部材６ｂを目立たなくすることができ、意匠性を向上させることができる。
【図面の簡単な説明】
【００２０】
【図１】本発明の実施形態におけるミラーキャビネット１の斜視図である。
【図２】図１におけるミラーキャビネット１のＡ−Ａ´断面図である。
【図３】図１におけるミラーキャビネット１の部分拡大図である。
【図４】図３における弾性部材６のＢ−Ｂ´断面図である。
【図５】弾性部材６について、（ａ）（ｂ）（ｃ）各々異なる形状を示す断面図である。
【符号の説明】
【００２１】
１  ミラーキャビネット
２  仕切板
３  収納部
４  ミラー扉
６  弾性部材
【図１】
2005204934.tif 000003
【図２】
2005204934.tif 000004
【図３】
2005204934.tif 000005
【図４】
2005204934.tif 000006
【図５】
2005204934.tif 000007